(57)【要約】【課題】  簡単な工事でテレビジョン放送信号を受信可能とする場所を追加する。【解決手段】  再送信信号を受信するアンテナ４で受信した再送信信号を増幅器１６で増幅する。増幅器１６の出力信号が出力端子１８に供給され、ここからテレビジョン受信機２０に供給可能である。家屋内に設けられ、共同受信信号を伝送している共同受信装置の端末端子１４に入力端子１２が接続されている。アンテナ４と入力端子１２と増幅器１６との間に切換スイッチ６が設けられ、入力端子１２からの共同受信信号がアンテナ４から送信されるように、またはアンテナ４で受信された再送信信号が増幅器１６に供給されるように、切換スイッチ１６が切り換えられる。アンテナ４、増幅器１６、出力端子１８、入力端子１２及び切換スイッチ６が、１つの筐体２に設けられている。【選択図】        図１
2008048087.tif 000002
【特許請求の範囲】
【請求項１】
テレビジョン放送信号を受信するアンテナと、
このアンテナで受信した前記テレビジョン放送信号を増幅する増幅手段と、
この増幅手段の出力信号が供給され、テレビジョン受信機に接続される出力端子と、
家屋内に設けられ共同受信信号を伝送している共同受信装置の端末端子に接続される入力端子と、
この入力端子から入力された前記共同受信信号が前記アンテナから送信されるように、前記アンテナと前記入力端子と前記増幅手段との間に設けられ、前記アンテナから前記テレビジョン放送信号を前記増幅手段に供給する状態と、前記入力端子からの前記共同受信信号を前記アンテナに供給する状態とのいずれかに切り換える切換手段とを、
具備し、前記アンテナ、前記増幅手段、前記出力端子、前記入力端子及び前記切換手段が、１つの筐体に設けられている室内用テレビジョン放送信号伝送装置。
【請求項２】
家屋内に設けられ共同受信信号を伝送している家庭用共同受信システムの端末端子に接続される入力端子と、
アンテナと、
増幅手段と、
この増幅手段の出力信号が供給され、テレビジョン受信機に接続される出力端子と、
前記入力端子からの前記共同受信信号を前記アンテナに供給すると共に前記増幅手段に供給する供給手段とを、
１つの筐体に設けられている室内用テレビジョン放送信号伝送装置。
【請求項３】
テレビジョン放送信号を受信する受信アンテナと、
この受信アンテナで受信した前記テレビジョン放送信号を伝送する伝送路と、
この伝送路を伝送された前記テレビジョン放送信号を増幅する増幅手段と、
この増幅手段の出力信号が供給され、テレビジョン受信機に接続される出力端子と、
家屋内に設けられ共同受信信号を伝送している共同受信装置の端末端子に接続される入力端子と、
前記共同受信信号を送信可能な送信アンテナと、
前記入力端子から入力された前記共同受信信号が前記伝送路を介して前記送信アンテナから送信されるように、前記伝送路を前記送信アンテナと前記入力端子との間に接続する状態と、前記受信アンテナで受信したテレビジョン放送信号が前記増幅手段に供給されるように、前記伝送路を前記受信アンテナと前記増幅手段との間に接続する状態とのうちいずれかに切り換える切換手段とを、
具備し、前記送信アンテナ、前記受信アンテナ、前記伝送路、前記増幅手段、前記出力端子、前記入力端子及び前記切換手段が、１つの筐体に設けられている室内用テレビジョン放送信号伝送装置。
【発明の詳細な説明】
【技術分野】
【０００１】
本発明は、室内においてテレビジョン放送信号を伝送する装置に関し、特にアンテナを用いたものに関する。
【背景技術】
【０００２】
室内においてテレビジョン放送信号を伝送する場合、家庭用共同受信システムを使用することが多い。この家庭用共同受信システムが既に設置されている状態において、新たな場所にテレビジョン放送信号を伝送する場合、例えば特許文献１に開示されているような技術を使用することができる。特許文献１の技術では、家屋の外部に設置した衛星放送受信アンテナで受信した衛星放送信号を伝送線路を介して家屋内の様々な位置に伝送し、これら様々な位置に設けた再送信装置によって衛星放送信号を再送信している。
【０００３】
【特許文献１】特開２００５−３４１５０３号公報
【発明の開示】
【発明が解決しようとする課題】
【０００４】
しかし、この技術では、新たな場所で衛星放送信号を受信しようとすると、その近辺位置まで伝送線路を新たに敷設した上で、再送信装置を新たに設ける必要があり、その工事が複雑であった。
【０００５】
本発明は、簡単な工事で新たな場所でテレビジョン放送信号を受信可能とする室内用テレビジョン放送信号伝送装置を提供することを目的とする。
【課題を解決するための手段】
【０００６】
本発明の一態様のテレビジョン放送信号伝送装置は、テレビジョン放送信号、例えば再送信信号を受信するアンテナを有している。このアンテナで受信した前記テレビジョン放送信号が増幅手段によって増幅される。この増幅手段の出力信号が出力端子に供給される。出力端子は、テレビジョン受信機に接続される。家屋内に設けられ共同受信信号を伝送している共同受信システムの端末端子に入力端子が接続される。この入力端子から入力された前記共同受信信号が前記アンテナからテレビジョン放送信号として送信されるように、前記アンテナと前記入力端子と前記増幅手段との間に切換手段が設けられている。この切換手段は、前記アンテナから前記テレビジョン放送信号を前記増幅手段に供給する状態と、前記入力端子からの前記共同受信信号を前記アンテナに供給する状態とのいずれかに切り換える。前記アンテナ、前記増幅手段、前記出力端子、前記入力端子及び前記切換手段が、１つの筐体に設けられている。
【０００７】
このように構成されたテレビジョン放送信号伝送装置を複数台準備し、そのうちの１台のテレビジョン放送信号伝送装置の入力端子に端末端子からの共同受信信号を供給し、このテレビジョン放送信号伝送装置の切換手段を、共同受信信号がアンテナからテレビジョン放送信号として再送信されるように切り換える。他のテレビジョン放送信号伝送装置は、このテレビジョン放送信号伝送装置とは離れた位置にあるテレビジョン受信機の近傍に配置され、それの出力端子がテレビジョン受信機に接続され、切換手段が、アンテナで受信したテレビジョン放送信号を増幅手段が増幅するように切り換えられる。これによって、増幅された共同受信信号がテレビジョン受信機に供給される。なお、アンテナをいわゆる室内アンテナとして使用して、放送局から送信されているテレビジョン放送信号を受信し、これを増幅するように、このテレビジョン放送信号伝送装置を使用することもできる。
【０００８】
このように室内用テレビジョン放送信号伝送装置を複数使用することによって、家庭内の様々な部屋に伝送線路を新たに敷設しなくても、新たな場所で共同受信信号を受信することが可能となる。その上、テレビジョン受信機が追加されても、その追加に伴って、このテレビジョン放送信号伝送装置を追加するという簡単な作業のみで対応することができる。
【０００９】
本発明の他の態様の室内用テレビジョン放送信号伝送装置は、家屋内に設けられ共同受信信号を伝送している共同受信システムの端末端子に接続される入力端子と、アンテナと、増幅手段とを有し、さらに、この増幅手段の出力信号が供給され、テレビジョン受信機に接続される出力端子と、前記入力端子からの前記共同受信信号を前記アンテナに供給すると共に前記増幅手段に供給する供給手段とを、１つの筐体に設けらている。
【００１０】
このように構成されたテレビジョン放送信号伝送装置では、入力端子から供給された共同受信信号をアンテナから送信することができる上に、出力端子からテレビジョン受信機に供給することができる。従って、テレビジョン受信機の近辺に配置することによって、テレビジョン受信機で共同受信信号を視聴することができる上に、他の室内用テレビジョン放送信号伝送装置に向けて再送信することもできる。
【００１１】
本発明の別の態様の室内用テレビジョン放送信号伝送装置は、テレビジョン放送信号、例えば再送信信号を受信する受信アンテナを有し、この受信アンテナで受信した前記テレビジョン放送信号が伝送路を介して増幅手段に供給される。この増幅手段の出力信号が出力端子に供給され、出力端子がテレビジョン受信機に接続される。更に、家屋内に設けられ共同受信信号を伝送している共同受信システムの端末端子に入力端子が接続されている。共同受信信号を送信可能な送信アンテナも設けられている。入力端子から入力された前記共同受信信号が前記伝送路を介して前記送信アンテナから送信されるように、前記伝送路を前記送信アンテナと前記入力端子との間に接続する状態と、前記受信アンテナで受信した前記テレビジョン放送信号が伝送路を介して前記増幅手段に供給されるように、前記伝送路を前記受信アンテナと前記増幅手段との間に接続する状態とのうちいずれかに切換手段が切り換える。前記送信アンテナ、前記受信アンテナ、前記伝送路、前記増幅手段、前記出力端子、前記入力端子及び前記切換手段が、１つの筐体に設けられている。
【００１２】
このように構成された室内用テレビジョン放送信号伝送装置を複数用いることによって、上述したのと同様に、家庭内の様々な部屋に伝送線路を新たに敷設しなくても、新たな場所で共同受信信号を受信することが可能となる。しかも受信用アンテナと送信用アンテナとを別個に設けているので、受信用アンテナには指向性アンテナを使用して良好に受信できるようにし、送信用アンテナには無指向性アンテナを使用して様々な方向に再送信できる。しかも、この送信用アンテナへの信号と、受信用アンテナからの信号とは、１つの伝送路を使用して伝送しているので、この室内用テレビジョン放送信号伝送装置の構成を簡略化することができる。
【発明の効果】
【００１３】
以上のように、本発明による室内用テレビジョン放送信号伝送装置を使用すると、簡単な工事で新たな場所でテレビジョン放送信号を受信可能とすることができる。
【発明を実施するための最良の形態】
【００１４】
本発明の第１の実施形態の室内用テレビジョン放送信号伝送装置は、図１に示すように筐体２を有し、この筐体２には、アンテナ４が設置されている。アンテナ４は、共同受信信号を送受信することが可能なものである。共同受信信号については後述する。
【００１５】
このアンテナ４は、筐体２内に設けた切換手段、例えば切換スイッチ６の接触子６ａに接続されている。切換スイッチ６は、接触子６ａの他に接点６ｂ、６ｃを有し、接触子６ａは、手動操作或いは外部に設けられたリモートコントローラ８によって接点６ｂ、６ｃの一方に接触させられる。
【００１６】
切換スイッチ６の接点６ｂには、筐体２内に設けた増幅手段、例えば増幅器１０の出力信号が供給されている。増幅器１０には、筐体２に設けた入力端子１２からの入力信号が供給され、これを増幅して接点６ｂに供給している。入力端子１２は、例えば図２（ａ）に示すように家屋の部屋の壁面等に設置されている端末端子１４に接続可能である。この端末端子１４は、家庭用共同受信装置の一部を成し、共同受信信号が供給されている。
【００１７】
共同受信信号は、例えば１戸立ての家屋では、屋根に設けたアンテナで受信した地上アナログテレビジョン放送信号、地上デジタルテレビジョン放送信号、衛星放送受信用アンテナで衛星放送信号を受信し、そのアンテナに付属するコンバータで周波数変換した衛星放送中間周波信号、衛星通信受信用アンテナで衛星通信信号を受信し、そのアンテナに付属するコンバータで周波数変換した衛星通信中間周波信号のうち、少なくとも１つを含み、家屋内の複数箇所まで伝送線路によって伝送され、上記端末端子１４に供給されるものである。また、集合住宅では、集合住宅の屋上にアンテナを設置し、上述した各信号のうち所望のものを伝送線路を介して各住宅に設けた端末端子に供給するものである。
【００１８】
一方、切換スイッチ６の接点６ｃは筐体２内に設けた増幅手段、例えば増幅器１６の入力側に供給されている。増幅器１６の出力信号は、筐体２に設けた出力端子１８に供給されている。出力端子１８は、例えば図２（ｂ）に示すように、テレビジョン受信機２０に接続可能である。
【００１９】
このように構成された室内用テレビジョン放送信号伝送装置は、次のように使用される。例えば図２（ａ）に示すように、１台の室内用テレビジョン放送信号伝送装置を、端末端子１４が設けられている部屋に配置し、端末端子１４と入力端子１２とを接続し、切換スイッチ６の接触子６ａを接点６ｂ側に切り換える。これによって、端末端子１４、入力端子１２を介して増幅器１０に供給され、増幅されたテレビジョン放送信号は、切換スイッチ６を介してアンテナ４に供給され、ここから再送信される。
【００２０】
一方、図２（ｂ）に示すように、端末端子１４が設置されていないがテレビジョン放送の視聴を行いたい部屋に設置されたテレビジョン受信機２０の近辺に、別の室内用テレビジョン放送信号伝送装置が設置され、この室内用テレビジョン放送信号伝送装置の出力端子１８がテレビジョン受信機２０に接続され、切換スイッチ６の接触子６ａが接点６ｃに接触させられる。これによって、アンテナ４によって受信されたテレビジョン放送信号が切換スイッチ６を介して増幅器１６で増幅され、出力端子１８からテレビジョン受信機２０に供給される。更に別の部屋においてもテレビジョン放送信号を受信する場合には、更に別の室内用テレビジョン放送信号伝送装置を準備し、上述したように出力端子１８とテレビジョン受信機２０とを接続し、切換スイッチ６を切り換えれば、同様に受信できる。
【００２１】
このように、このテレビジョン放送信号伝送装置を使用すれば、新たにテレビジョン放送を視聴しようとする部屋まで伝送線路を追加的に敷設する必要が無い。
【００２２】
本発明の第２の実施の形態のテレビジョン放送信号伝送装置を図３に示す。第１の実施の形態のテレビジョン放送信号伝送装置では、端末端子１４から供給されたテレビジョン放送信号は、アンテナ４から送信できるだけであり、端末端子１４の近傍にテレビジョン受信機が設置されていても、そのテレビジョン受信機にテレビジョン放送信号を供給することができない。第２の実施の形態のテレビジョン放送信号伝送装置は、この点を改善したもので、第１の実施の形態の切換スイッチ６に代えて、供給手段、例えばハイブリッド回路２２が使用されている。ハイブリッド回路２２を使用しているので、入力端子１２から供給されたテレビジョン放送信号は、アンテナ４及び出力端子１８の双方に供給される。なお、アンテナ４には、ハイブリッド回路２２から出力されたテレビジョン放送信号を増幅手段、例えば増幅器２４によって増幅したものが供給されている。
【００２３】
本発明の第３の実施形態のテレビジョン放送信号伝送装置を図４に示す。このテレビジョン放送信号伝送装置では、アンテナとして送信アンテナ４ｔと受信アンテナ４ｒとが設けられている。送信アンテナ４ｔとしては、例えば無指向性のものが使用され、受信アンテナ４ｒとしては例えば指向性アンテナが使用されている。
【００２４】
これらアンテナ４ｔ、４ｒは、切換手段、例えば切換スイッチ２６の接点２６ｂ、２６ｃに接続されている。切換スイッチ２６は接点２６ｂ、２６ｃのいずれかに接触する接触子２６ａを有し、これは伝送線路２８を介して切換スイッチ６の接触子６ａに接続されている。他の構成は、第１の実施形態のテレビジョン放送信号伝送装置と同一である。但し、切換スイッチ６、２６は、リモートコントローラ８によって同期して切り換えられる。即ち、切換スイッチ６の接触子６ａが接点６ｂに接触しているとき、切換スイッチ２６の接触子２６ａも接点２６ｂに接触し、接触子６ａが接点６ｃに接触しているとき、接触子２６ａも接点２６ｃに接触する。
【００２５】
このように構成された室内用テレビジョン放送信号伝送装置は、次のように使用される。例えば図５（ａ）に示すように、１台の室内用テレビジョン放送信号伝送装置を、端末端子１４が設けられている部屋に配置し、端末端子１４と入力端子１２とを接続し、切換スイッチ６の接触子６ａを接点６ｂ側に切り換え、切換スイッチ２６の接触子２６ａを接点２６ｂ側に切り換える。これによって、端末端子１４、入力端子１２を介して増幅器１０に供給され、増幅されたテレビジョン放送信号は、切換スイッチ６、伝送線路２８、切換スイッチ２６を介してアンテナ４ｔに供給され、ここから再送信される。
【００２６】
一方、図５（ｂ）に示すように、端末端子１４が設置されていないがテレビジョン放送の視聴を行いたい部屋に設置されたテレビジョン受信機２０の近辺に、別の室内用テレビジョン放送信号伝送装置が設置され、この室内用テレビジョン放送信号伝送装置の出力端子１８がテレビジョン受信機２０に接続され、切換スイッチ６の接触子６ａが接点６ｃに接触させられ、切換スイッチ２６の接触子２６ａが接点２６ｃに接触させられる。これによって、受信アンテナ４ｒによって受信されたテレビジョン放送信号が切換スイッチ２６、伝送線路２８及び切換スイッチ６を介して増幅器１６に供給され、ここで増幅されて、出力端子１８からテレビジョン受信機２０に供給される。更に別の部屋においてもテレビジョン放送信号を受信する場合には、更に別の室内用テレビジョン放送信号伝送装置を準備し、上述したように出力端子１８とテレビジョン受信機２０とを接続し、切換スイッチ６、２６を切り換えれば、同様に受信できる。
【００２７】
このように、送信アンテナ４ｔと受信アンテナ４ｒとを別個に設けてあるので、送受信をそれぞれ最適な状態で行うことができる。しかも、送信アンテナ４ｔからの伝送路と、受信アンテナ４ｒの伝送路として、伝送線路２８を切り換えて使用しているので、回路構成を簡略化することができる。
【００２８】
第２の実施形態では、ハイブリッド回路２２を用いたが、これに代えて分配器を使用することもできる。第１及び第３の実施形態では、室内用テレビジョン放送信号伝送装置は、別の同じ室内用テレビジョン放送信号伝送装置から再送信されたテレビジョン放送信号をアンテナ４または４ｒで受信したが、これらアンテナ４、４ｒを放送局から送信されるテレビジョン放送信号受信用の室内アンテナとしても使用することができる。
【図面の簡単な説明】
【００２９】
【図１】本発明の第１実施形態のテレビジョン放送信号伝送装置のブロック図である。
【図２】図１のテレビジョン放送信号伝送装置の使用状態を示す図である。
【図３】本発明の第２実施形態のテレビジョン放送信号伝送装置のブロック図である。
【図４】本発明の第３実施形態のテレビジョン放送信号伝送装置のブロック図である。
【図５】図４のテレビジョン放送信号伝送装置の使用状態を示す図である。
【符号の説明】
【００３０】
２  筐体
４  アンテナ
４ｔ  送信アンテナ
４ｒ  受信アンテナ
６  ２６切換スイッチ（切換手段）
１２  入力端子
１４  端末端子
１６  増幅器（増幅手段）
１８  出力端子
２０  テレビジョン受信機
２２  ハイブリッド回路（供給手段）
２８  伝送線路
【図１】
2008048087.tif 000003
【図２】
2008048087.tif 000004
【図３】
2008048087.tif 000005
【図４】
2008048087.tif 000006
【図５】
2008048087.tif 000007